(57)【要約】【課題】特に蚊などの害虫を効果的に防除する扇風機を提供する。【解決手段】扇風機本体１は、内部に害虫防除用の薬剤を入れて回転することにより薬剤を拡散させるカートリッジ５３を設置可能であり、風を送り出すファン２２の回転の軸である回転軸５２に、カートリッジ５３を取付けるアタッチメント５４を設けて構成される。回転軸５２が回転することに伴い、ファン２２に加えて、アタッチメント５４およびカートリッジ５３が回転し、カードリッジ５３の回転により、カートリッジ５３自身に遠心力が発生して、カートリッジ５３内部の薬剤を放射状に360°拡散する。そして放射状に拡散された薬剤がファン２２からの風と合流して、この風と共に送風部１３の前方に拡散するため、薬剤がファン２２からの風の全体と合流でき、広範囲においてこの薬剤の効果を得ることができ、特に蚊などの害虫を効果的に防除することができる。【選択図】図６
2019143610.tif 000002
【特許請求の範囲】
【請求項１】
内部に害虫防除用の薬剤を入れて回転することにより前記薬剤を拡散させる容器を、設置可能な扇風機であって、
風を送り出すファンの回転軸に前記容器を取付けるアタッチメントを設けたことを特徴とする扇風機。
【請求項２】
前記アタッチメントは、前記ファンを前記回転軸に固定する固定部に着脱自在に取付けられることを特徴とする請求項１記載の扇風機。
【請求項３】
前記ファンは斜流ファンを備えていることを特徴とする請求項１または２に記載の扇風機。
【請求項４】
前記ファンの回転数をカウントすると共に、そのときの回転速度を記憶するカウント手段を備え、
前記カウント手段は、前記ファンの回転速度により記憶する回転数に異なる重み付けをすることを特徴とする請求項１〜３のいずれか１項に記載の扇風機。
【請求項５】
内部に害虫防除用の薬剤を入れて回転することにより前記薬剤を拡散させる容器を、設置可能な扇風機であって、
床面や机上に載置されるベースに、前記容器を取付けて回転させるモータを設けたことを特徴とする扇風機。
【請求項６】
前記モータは所定の速度で回転するモータであり、
前記モータの動作時間をカウントして記憶するカウント手段を備えることを特徴とする請求項５記載の扇風機。
【請求項７】
給電用のバッテリを備えたことを特徴とする請求項１〜６のいずれか１項に記載の扇風機。 
【発明の詳細な説明】
【技術分野】
【０００１】
本発明は、例えば蚊などの害虫防除用の薬剤を風と共に拡散する扇風機に関する。
【背景技術】
【０００２】
この種の扇風機として、例えば特許文献１には、ピレスロイド系の薬剤を含ませた素材を内部に入れた蚊取りフィルターをフロントガードの中央部に位置して配置され、ファンからの風により薬品を周囲に拡散するものが開示されている。しかしながら、扇風機はファンを回転させて送風気流を発生させる構造のため、フロントガードの中央部はファンから発生する送風気流の風力が若干弱く、薬剤が周囲に広く拡散されなかった。そこで特許文献２には、前面ガードにおける中央域と外周域の中間にある中間域に揮発性物質放散用容器を取付け、風力が若干強い中間域の風により揮発性物質を周囲に拡散するものが開示されている。
【先行技術文献】
【特許文献】
【０００３】
【特許文献１】特開２００６−２０７５２２号公報
【特許文献２】特開２００６−３２５４５４号公報
【発明の概要】
【発明が解決しようとする課題】
【０００４】
近年、デング熱など蚊が媒介する感染症が注目されているが、扇風機などの風を人に当てることで蚊の対策になることが知られている。そのため、特にアウトドアで扇風機を使用する機会が増加しているが、さらに効果的に蚊の対策をした扇風機の開発が望まれていた。しかしながら、特許文献２の扇風機は、容器にファンからの風を当てて揮発性物質を周囲に拡散する構成を採用しており、最初は容器に当たる風にのみ揮発性物質が合流し、そこから揮発性物質が拡散するため、やはり揮発性物質が周囲に広く拡散されず、効果的な蚊の対策ができなかった。また、特にアウトドアで扇風機を使用する際に、蚊取り機能のみの動作を行なわせることができず、結局、別に蚊取り線香を必要としていた。
【０００５】
そこで、本発明は上記事情に鑑み、特に蚊などの害虫を効果的に防除する扇風機を提供することを第１の目的とする。
【０００６】
また、蚊取り機能のみの動作を行なわせることができる扇風機を提供することを第２の目的とする。
【０００７】
また、屋外でも使用できる扇風機を提供することを第３の目的とする。
【課題を解決するための手段】
【０００８】
本発明の扇風機は、内部に害虫防除用の薬剤を入れて回転することにより前記薬剤を拡散させる容器を、設置可能な扇風機であって、風を送り出すファンの回転軸に前記容器を取付けるアタッチメントを設けたことを特徴とする。
【０００９】
また本発明の扇風機は、内部に害虫防除用の薬剤を入れて回転することにより前記薬剤を拡散させる容器を、設置可能な扇風機であって、床面や机上に載置されるベースに、前記容器を取付けて所定の速度で回転させるモータを設けたことを特徴とする。
【発明の効果】
【００１０】
請求項１の発明によれば、回転軸が回転することに伴い、ファンに加えて、アタッチメントおよび容器が回転し、容器の回転により、容器自身に遠心力が発生して、容器内部の薬剤を放射状に360°拡散する。そして放射状に拡散された薬剤がファンからの風と合流して、この風と共に扇風機の送風部の前方に拡散するため、薬剤がファンからの風の全体と合流でき、広範囲においてこの薬剤の効果を得ることができ、害虫を効果的に防除することができる。
【００１１】
請求項２の発明によれば、アタッチメントを取付けるだけで容器の設置可能な扇風機になる。
【００１２】
請求項３の発明によれば、広がりのある風を扇風機の正面に提供する。そのため、この広がりのある風と合流した薬剤も同様に扇風機の正面に拡散され、さらに広範囲においてこの薬剤の効果を得ることができ、害虫を効果的に防除することができる。
【００１３】
請求項４の発明によれば、容器の回転速度と回転数を検出でき、また異なる重み付けをすることで、回転速度や回転数により薬剤の拡散量が異なる容器の交換の時期をより適切に知ることができる。
【００１４】
請求項５の発明によれば、ファンとは別に、モータを独立して動作させることができ、扇風機の風量に影響されず一定の蚊取り性能を発揮させることができる。また扇風機に蚊取り機能のみの動作を行なわせることができる。
【００１５】
請求項６の発明によれば、モータの回転速度はユーザによらず所定の速度であり、薬剤の拡散量が略一定であるので、このように構成することで容器の交換の時期を適切に知ることができる。
【００１６】
請求項７の発明によれば、コンセントの無い場所でも扇風機を運転でき、屋外でも扇風機を使用できる。
【図面の簡単な説明】
【００１７】
【図１】本発明の第１実施例における扇風機の全体斜視図である。
【図２】同上、扇風機の正面図である。
【図３】同上、扇風機の右側面図である。
【図４】同上、扇風機の平面図である。
【図５】同上、送風部を傾けた状態の扇風機の右側面図である。
【図６】同上、送風部の分解斜視図である。
【図７】同上、アタッチメントの斜視図である。
【図８】同上、アタッチメントおよびカートリッジを取付けた状態で、前ガードを取り外した送風部を示す図である。
【図９】同上、ファンの正面図である。
【図１０】同上、ファンの背面図である。
【図１１】同上、ファンの斜視図である。
【図１２】同上、ファンを含む扇風機本体の要部縦断面図である。
【図１３】同上、ファンからの風の方向を示す図である。
【図１４】同上、主な電気的構成を示すブロック図である。
【図１５】本発明の第２実施例における扇風機のベースの斜視図である。
【図１６】同上、開状態のカートリッジ収納部の斜視図である。
【図１７】同上、開状態のカートリッジ収納部の側面図である。
【図１８】同上、主な電気的構成を示すブロック図である。
【発明を実施するための形態】
【００１８】
以下、添付図面を参照しつつ、本発明における扇風機の好ましい実施例を説明する。なお、以下に示す各実施例で、共通する箇所には共通する符号を付し、共通する部分の説明は重複を避けるため極力省略する。
【実施例１】
【００１９】
図１〜図５は、本発明の第１実施例における扇風機本体１の外観を示している。これらの各図において、送風を行なうための扇風機本体１は、室内の床面や室外に設置された机の上などに載置されるベース１１と、ベース１１から上方に向かう支柱１２と、風を送り出す送風部１３と、送風部１３を任意の方向に首振り運動させるための首振り装置１４と、を主な構成要素としている。支柱１２の上端部には送風部１３が設けられ、送風部１３の後部には首振り装置１４が設けられる。ベース１１と支柱１２は、扇風機本体１のスタンドとなる支持基体１５を構成し、この支持基体１５により、送風部１３および首振り装置１４が床面または机の上面より所定の高さに支持される。
【００２０】
基台となる樹脂製のベース１１は、扇風機本体１が容易に倒れないように、その外形が平面視でほぼ円形をなす扁平状に形成される。またベース１１には、扇風機本体１の各部へ給電するためのバッテリおよびこのバッテリの充電・放電ユニットからなる電源部５が設けられ、この電源部５へ給電するための電源プラグ付きコード１６が、電源部５に着脱自在に設けられる。そのため、コンセントの無い場所でも扇風機本体１を運転でき、屋外でも扇風機本体１を使用できる。
【００２１】
本実施例の電源部５のバッテリはリチウムイオンポリマーバッテリであり、扇風機本体１の軽量化かつパワフル運転を可能にしている。ベース部１１の上面前方には、複数のキーやボタンによる操作部の他に、ＬＥＤなどの表示部を備えた操作パネル１７が設けられる。
【００２２】
支持部となる支柱１２は、首振り装置１４および送風部１３を昇降可能にする昇降装置をなすもので、ベース１１の上面から垂直に延びる筒状の支柱基部１８と、この支柱基部１８の内側に上下摺動自在に組み付けられた摺動杆１９からなり、支持基部１８の上部後方に設けたロック釦２０を、図示しない弾性体の付勢力に抗して押動することにより、支柱基部１８と摺動杆１９との係合が解除されて、送風部１３や首振り装置１４を支持する摺動杆１９が、支柱基部１８に対して上下に摺動するように構成される。
【００２３】
送風部１３は、駆動源としてのモータに相当するＤＣ（直流）ファンモータ２１と、このＤＣファンモータ２１により回転駆動されるファン２２と、ファン２２を囲む通気可能な網状のガードとしてのファンガード２３とからなる。ファン２２は、ＤＣファンモータ２１の前方に突出した回転軸５２（図６参照）に取付け固定され、複数の翼２４を放射状に配置して構成される。本実施例の翼２４の数は７枚であり、羽根の枚数が増えることで１回の回転で切り出す風の量が増え、きめ細やかになって、優しい風を発生させることができる。また、送風部１３のＤＣファンモータ２１と首振り装置１４の全体は、前側を開口した駆動部カバー２５により覆われており、この駆動部カバー２５の開口周縁にファンガード２３が取付けられる。上述のように、本実施例ではＤＣファンモータ２１を採用しているため、ＤＣファンモータ２１に供給するパルス駆動信号のデューティを制御することで、ファン２２の回転数を任意に可変することができる。
【００２４】
ファンガード２３は、送風部１３からの送風を行なっているときに、回転するファン２２に指などが触れないように、ファン２２全体を囲むガードとして設けられるもので、ここでは駆動部カバー２５の前部に取付け固定される後ガード２７と、後ガード２７の前面開口を塞ぐように配設される前ガード２８とにより構成される。またファンガード２３は、送風部１３による送風を極力妨げないように、ファンガード２３の全体に多数の通気孔２９を有して形成される。
【００２５】
ファンガード２３の側面部および後面部となる後ガード２７は合成樹脂製であり、ファン２２の後面に対向する円形の基部３１と、基部３１の外周端から前方に延びており、ファン２２の外周部に対向する中空円筒形の周縁部３２と、を主な構成要素としている。基部３１は、その中心にＤＣファンモータ２１の回転軸５２を挿通する孔５５（図６参照）が設けられ、駆動カバー２５に対して所定の位置に取付け固定される。周縁部３２は、基部３１の外側端部よりファンガード２３の前方向に延びて形成され、その前端部には前ガード２８の外周部と連結する環状の連結部３３が一体的に形成される。
【００２６】
ファンガード２３の前面部となる前ガード２８は、ファンガード２３の中心部に配置され、環状部４１および円板部４２を有するカートリッジ収納部２と、環状部４１の外周側に金属製のワイヤーを接合して構成される前ガード基材３６と、合成樹脂製で、前ガード基材３６の外周部を取り囲むように装着される環状のリブ部材３７と、を主な構成要素とする。カートリッジ収納部２の環状部４１および円板部４２は、ＤＣファンモータ２１の回転軸５２の延長線上に位置しており、前ガード基材３６は、環状部４１から半径方向に延びる複数本の放射状ワイヤーと、その放射状ワイヤーの外端どうしを連結した環状ワイヤーとを組み合わせて構成される。前ガード２８の外周部をなすリブ部材３７は、後ガード２７の前面開口を前ガード２８が塞ぐように、後ガード２７の連結部３３に嵌合して着脱自在に取り付けられる。
【００２７】
４３は、ベース１１の前側部に設けられ、リモコン３（図１４参照）からの赤外線信号を受信する受光部である。扇風機本体１の例えばベース１１内部には、ＣＰＵ（Central Processing Unit）やメモリなどを含む制御部４４が組み込まれており、制御部４４がメモリに記憶されたコンピュータプログラムを実行することにより、受光部４３で受信したリモコン３からの赤外線信号や、操作パネル１７の操作部からの操作信号を受けて、扇風機本体１の各部、すなわち、操作パネル１７の表示部や、送風部１３のＤＣファンモータ２１や、首振り装置１４の駆動源となる首振り用モータ９２（図１４参照）に制御信号を送出して、これらを適切に制御する構成となっている。
【００２８】
首振り装置１４は、扇風機本体１に対して送風部１３を左右の水平方向だけでなく、上下の垂直（俯仰）方向にも単独もしくは両方で揺動させることができる。図５は、送風部１３を上方向に揺動させたときの状態を示している。こうした送風部１３に対する左右の首振り運動のオン・オフや、上下の首振り運動のオン・オフは、上述のリモコン３の操作や、操作パネル１７の操作部からの手動操作でそれぞれ切替できるようになっている。
【００２９】
図６は、本実施例の送風部１３の分解斜視図である。同図において５１は、ＤＣファンモータ２１の回転軸５２に螺着して、ファン２２を回転軸５２に取付け固定する取付スピナーである。また５３は、内部に例えばメトフルトリンなどの害虫防除用の揮発性の薬剤を入れた円板状または円柱状のカートリッジであり、カードリッジ５３が回転することにより、カートリッジ５３自身に遠心力が発生し、薬剤を効率よく放射状に360°拡散できるように構成される。なお本実施例では、カートリッジ５３の上面５３ａの形状により、カードリッジ５３が回転することでカートリッジ５３上面側に攪拌気流が発生する。そして５４は、一側に取付スピナー５１に係止し、他側にカートリッジ５３を係止することで、取付スピナー５１とカートリッジ５３とを同軸に取付け固定する、カートリッジ取付用のアタッチメントである。このアタッチメント５４は可撓性を有する材料からなり、送風部１３を全て組み立てた時、ＤＣファンモータ２１から見て、ファン２２、取付スピナー５１、環状部４１、カートリッジ５３、円板部４２の順で、各部の中心部が回転軸５２の軸上に位置するように構成されている。
【００３０】
ここで図７および図８を参照して、本実施例におけるアタッチメント５４を説明すると、ここでのアタッチメント５４は、略円板形状のアタッチメント本体６１と、アタッチメント本体６１の一方の面の外周から延びる第１の係止部６２と、アタッチメント本体６１の他方の面の外周から延びる第２の係止部６３を組み合わせた構成を有している。本実施例のアタッチメント本体６１は、略円錐台形状の取付スピナー５１の上面部５１ａ（図１２参照）よりも僅かに大きく形成される円板部６１ａと、この円板部６１ａ外周端から一方の面側に立ち上がって形成される円筒形状の外縁部６１ｂとからなり、外縁部６１ｂの内周は取付スピナー５１の上面部５１ａと略同径の円になるように形成される。また本実施例では第１の係止部６２は略同一形状で３本設けられるが、取付スピナー５１にアタッチメント５４を取付け固定できるなら、これに限定されない。第１の係止部６２は、取付スピナー５１の側面部５１ｂ（図１２参照）に沿うように延びる第１の延長部６２ａと、取付スピナー５１の雌螺子部５１ｄ（図１２参照）が設けられる取付スピナー開口部５１ｃ（図１２参照）の外周端５１ｅ（図１２参照）に係合するための第１の爪部６２ｂとからなる。
【００３１】
そして本実施例では第２の係止部６３は略同一形状で３本設けられるが、アタッチメント５４にカートリッジ５３を取付け固定できるなら、これに限定されない。第２の係止部６３は、カートリッジ５３の底面部５３ｃに沿うようにアタッチメント本体６１の径方向外側へ延びる梁部６３ａと、カートリッジ５３の側面部５３ｂに沿うように延びる第２の延長部６３ｂと、カートリッジ５３の上面部５３ａの外周端に係合するための第２の爪部６３ｃとからなる。このようにアタッチメント５４を構成することで、取付スピナー５１やカートリッジ５３を損傷することなくアタッチメント５４に取付け固定でき、またアタッチメント５４に取付けるだけで、容易に取付スピナー５１とカートリッジ５３とを同軸に設置できる。そして取付スピナー５１は回転軸５２に取付け固定されるため、取付スピナー５１と同軸に固定されるカードリッジ５３はファン２２と同時に同じだけ回転する。したがって、後述する回転検出部９１（図１４参照）により回転軸５２の回転速度と回転数を検出することで、ファン２２に加えて、カードリッジ５３の回転速度と回転数も検出することができる。
【００３２】
図６に戻って説明すると、カートリッジ収納部２は、環状部４１と円板部４２の間を接続する、ヒンジ部６５、係脱部６６および図示しない支柱部が設けられており、前ガード２８を後ガード２７に取り付けた時、上述したように、ファン２２、取付スピナー５１、環状部４１、カートリッジ５３、円板部４２の順で、各部の中心部が回転軸５２の軸上に位置するように、環状部４１や円板部４２の配置や、ヒンジ部６５、係脱部６６および支柱部の高さが構成される。またカートリッジ収納部２は、図６に示すような、環状部４１と円板部４２とを係脱部６６で係合させた閉状態と、係脱部６６の係合を解除して、ヒンジ部６５を中心にして環状部４１に対して円板部４２を上方に回動させた、図示しない開状態とにすることができ、前ガード２８を後ガード２７から取り外さなくても、開状態でカートリッジ５３の交換ができるようになっている。なお、環状部４１の内径はカートリッジ５３の外径よりもある程度大きく形成されており、前ガード２８の着脱の際にカートリッジ５３に干渉しない。
【００３３】
ここで図９〜図１３を参照して、本実施例における好ましい形状のファン２２を説明すると、ここでのファン２２は、軸流型の翼２４と、翼２４よりも直径の小さな斜流型の羽根部７１を組み合わせた構成を有している。回転ボス７２の中心には、ＤＣファンモータ２１の回転軸５２（図１２を参照）と連結する金属製の連結部７３が、ゴム製のダンパーとなる弾性部材７４を介してファン２２に取付け固定される。また、連結部７３を取り囲むようにして、回転ボス７２には複数の風洞７５を有する羽根部７１が配設される。
【００３４】
羽根部７１の各風洞７５は何れも同一形状で、回転ボス７２の後面に吸気口７６を有すると共に、回転ボス７２の前面に排気口７７を有し、吸気口７６よりも排気口７７がファン２２の外周側に、且つファン２２の回転方向Ｓに対して逆方向に配置されている。また、隣り合う風洞７５，７５を区画する第１翼７８は、ファン２２の回転方向Ｓに対して順方向に膨出しているのに対し、プロペラ形状をなす翼２４の第２翼７９は、ファン２２の回転方向Ｓに対して逆方向に膨出している。ここでの羽根部７１は、軸方向に吸い込んだ空気を斜め前方に送り出す斜流型ファンの形態を有するが、軸方向に吸い込んだ空気を横方向（遠心方向）に送り出す遠心型ファンの形態を有していてもよい。
【００３５】
図１２は、上述したファン２２を含む扇風機本体１の要部の縦断面図である。同図において、駆動部カバー２５の前面と後面は、送風部１３のファン２２の後方から羽根部７１の吸気口７６に空気を取り入れるための通気孔８１，８２がそれぞれ設けられる。また８３は、羽根部７１の吸気口７６を開閉するために、この吸気口７６に対向して配置された通気孔８１の開閉を切替える開閉手段としてのシャッターである。このシャッター８３は、手動もしくは電動で動作が可能であり、本実施例では駆動部カバー２５の内部で移動可能に設けられているが、吸気口７６への空気の進入を可能にし、または遮断するものであれば、どのような構造でどの位置に設けられていても構わない。ここでは、斜流型の羽根部７１が駆動部カバー２５の前面に対向して配置される一方で、軸流型の翼２４は駆動部カバー２５の外方に配置される。
【００３６】
そして本実施例では、操作パネル１７やリモコン３を操作して、運転の開始を指示すると、ＤＣファンモータ２１への電力供給によってファン２２が所定の回転方向Ｓに回転し、ファン２２の後方から翼２４に吸い込まれた風が、ファン２２の軸方向に沿って前方に流れ、直進性のある風が翼２４から送り出される。
【００３７】
ここで、通気孔８１を開放する位置にシャッター８３が移動していると、図１２の白抜き矢印で示したように、ファン２２の回転に伴って、通気孔８２から駆動部カバー２５の内部を通り、別な通気孔８１から羽根部７１の後方に形成された吸気口７６へ向かう風の流れが、扇風機本体１の内部で形成される。これにより、羽根部７１の吸気口７６に吸い込まれた風は風洞７５を通過し、ファン２２の軸方向に対して斜め前方に流れ、翼２４の排気口７７から送り出され、図１３に示されるように、翼２４から送り出される風とぶつかって、広がりのある風を扇風機本体１の正面から提供することが可能になる。
【００３８】
図１４は、本実施例の扇風機の電気的構成を示したものである。同図において、扇風機本体１のベース１１内に配設された制御部４４は、その入力ポートにリモコン３からの赤外線信号を受信する受光部４３や、操作パネル１７を構成する操作部や、ＤＣファンモータ２１の回転軸５２の回転速度や回転数を検出する回転検出部９１が電気的に接続される。また制御部４４の出力ポートには、送風部１３の駆動源となるＤＣファンモータ２１や、操作パネル１７を構成する表示部や、首振り装置１４に組み込まれる首振り用モータ９２や、送風部１３が送り出す風の幅を切り替える手段であるシャッター８３を駆動させる風幅切替駆動部９３と、カートリッジ５３の交換時期を報知する交換報知部９４がそれぞれ接続される。
【００３９】
制御部４４は、マイコンによるプログラム上の機能として、主にＤＣファンモータ２１の動作や送風部１３の風幅切替駆動部９３の動作を制御する送風制御部９５と、操作パネル１７の表示部の動作や交換報知部９３の動作を制御する表示制御部９６と、首振り用モータ９２の動作を制御する首振り制御部９７と、をそれぞれ備えている。また制御部４４は、上述のプログラム上の機能に加えて、扇風機本体１の運転中はもとより、扇風機本体１の運転を停止した後も、送風部１３からの風量や風の幅、首振り装置１４による送風部１３の上下左右の首振り範囲などの設定状態を記憶保持するメモリとしての記憶部９８と、入タイマーや切タイマーなどのタイマー動作のための時間や、回転検出部９１で検出した回転軸５２の回転速度や回転数などをカウントするカウンタとしての計時部９９と、を備えている。
【００４０】
そして本実施例では、操作パネル１７の操作部やリモコン３の受光部４３への操作に伴い、制御部４４が扇風機本体１の運転を開始させると、送風制御部９５は最初に記憶部９８に記憶保持された風量および風の幅で、送風部１３からの送風が行なわれるように、ＤＣファンモータ２１に適切な駆動信号を供給するための制御信号を送出する。また同様に、風幅切替駆動部９３に適切な駆動信号を供給してシャッター８３を移動させるための別な制御信号を送出する。そして、送風制御部９５は最初に記憶部９８に記憶保持された首振り範囲で、送風部１３が左右および／または上下に揺動するように、首振り用モータ９２に適切な駆動信号を供給するための別な制御信号を送出する。
【００４１】
表示制御部９６は扇風機本体１の運転中に、送風部１３からの風量や風の幅の設定状態などを操作パネル１７の表示部に表示させる。送風部１３からの風量や風の幅は送風制御部９５により制御され、操作パネル１７やリモコン３に設けられた例えば風量スイッチを操作するたびに、それまでよりも風量が強くなったり、或いは風量が弱くなったりし、また操作パネル１７やリモコン３に設けられた別なスイッチ、例えば風幅スイッチを操作するたびに、それまでよりも風の幅が広くなったり、或いは風の幅が狭くなったりする。そして、別なスイッチ、例えばランダム風切替スイッチを操作するたびに、送風部１３からの風量が一定で変化しない連続風と、送風部１３からの風量が強弱して変化するランダム風の何れかに切替えることもできる。表示制御部９６は、現在の設定されている風量や風の幅だけでなく、連続風またはランダム風のどちらで送風が行なわれているのかを、操作パネル１７の表示部に表示させる。
【００４２】
また扇風機本体１の運転中に、操作パネル１７やリモコン３に設けられた例えば切タイマースイッチを押すたびに、運転を停止するまでの切タイマー時間が任意に設定され、または解除される。制御部４４は、切タイマースイッチからの操作信号を受けて切タイマー時間を設定すると、その設定された切タイマー時間を、表示制御部９６により操作パネル１７の表示部に表示させ、計時部９９でカウントした時間が設定した切タイマー時間に達した時点で、ＤＣファンモータ２１や、首振り用モータ９２や、風幅切替駆動部９３の各動作を終了させて、扇風機本体１の運転を自動的に停止させる。
【００４３】
一方、扇風機本体１の運転停止中や切タイマー時間を設定した後に、操作パネル１７に設けられた例えば入タイマースイッチを押すたびに、運転を開始するまでの入タイマー時間が任意に設定変更され、または解除される。制御部４４は、入タイマースイッチからの操作信号を受けて入タイマー時間を設定すると、その設定された入タイマー時間を、表示制御部９６により操作パネル１７の表示部に表示させ、計時部９９でカウントした時間が設定した入タイマー時間に達した時点で、扇風機本体１の運転を自動的に開始させる。
【００４４】
計時部９９は上述の他にも、扇風機本体１の運転中に回転検出部９１からの検出信号を受信して、回転軸５２の回転数をカウントすると共に、そのときの回転速度を記憶している。本実施例の回転検出部９１は、例えばロータリーエンコーダなどのセンサにより、回転軸５２の回転速度や回転数を検出しているが、ＤＣファンモータ２１がステッピングモータの場合は、ＤＣファンモータ２１に供給されるパルス電力により、回転軸５２の回転数をカウントすると共に、そのときの回転速度を記憶するように構成してもよい。ここで、このカウントおよび記憶した値が所定の閾値を超えると、制御部４４は表示制御部９６に制御信号を送出し、表示制御部９６は交換報知部９４に適切な駆動信号を供給して、交換報知部９４が、例えばＬＥＤなどの表示や警告音などの音でユーザにカートリッジ５３の交換時期を報知する。
【００４５】
この時の所定の閾値は、回転軸５２を所定の回転速度で所定回数回転させたときの値が設定されるが、ユーザによって例えば風量を弱、中、強と選択するので回転軸５２、すなわちファン２２の回転速度や回転数は様々であり、後述するように回転速度や回転数により薬剤の拡散量が異なるために、ただ回転軸５２の回転数をカウントするだけでは交換の時期が担保できない。そこで本実施例の計時部９９では、そのときの回転速度によってカウントする値に異なる重み付けをしている。例えば風量が中のときを基準として、例えば風量が強のときなど、風量を多くするために回転速度が速い場合には、例えば風量が中のときの４回転分の値にするなど１回転ごとの重みを大きくし、その一方で、例えば風量が弱のときなど、風量を少なくするために回転速度が遅い場合には、例えば風量が中のときの０．２５回転分の値にするなど１回転ごとの重みを小さくして記憶している。このように構成することで、カートリッジ５３の交換の時期をより適切に報知することができる。また、このカウントした値は、操作パネル１７の操作部やリモコン３の受光部４３への操作によりリセットできるように構成してもよい。
【００４６】
その他、送風部１３の首振り運動の動作についても、操作パネル１７やリモコン３に設けられた首振り動作に関するスイッチを操作すると、その操作信号を受信して首振り制御部９７が首振り用モータ９２を制御し、例えば上下の首振り運転や左右の首振り運転の開始と停止をそれぞれ切替えたり、首振り運転中の首振り範囲を任意に設定変更したりすることができる。
【００４７】
次に扇風機本体１の、特に薬剤の拡散方法について具体的に説明する。先ず、後ガード２７から前ガード２８を取り外し、取付スピナー５１にアタッチメント５４を取り付ける。取付スピナー５１の上面部５１ａ方向からアタッチメント５４を圧入すると、第１の係止部６２の第１の爪部６２ｂが取付スピナー５１の側面部５１ｂと干渉することで第１の延長部６２ａが弾性変形する。その後、取付スピナー５１の上面部５１ａとアタッチメント本体６１の円板部６１ａが面接触すると、第１の延長部６２ａに復元力が働いて、第１の延長部６２ａが取付スピナー５１の側面部５１ｂに面接触すると共に、第１の爪部６２ｂが取付スピナー５１の開口部５１ｃの外周端５１ｅに係合する。このとき、それぞれの第１の延長部６２ａが同一の力で取付スピナー５１の側面部５１ｂに接触し、またアタッチメント本体６１の外縁部６１ａに取付スピナー５１の上面部５１ａが挿入しているため、取付スピナー５１とアタッチメント５４とは、回転軸５２と同軸に固定される。
【００４８】
次にカートリッジ５３をアタッチメント５４に取り付ける。カートリッジ５３の側面部５３ｂを、３本中２本の第２の係止部６３の第２の延長部６３ｂに接触するように挿入すると、残りの１本の第２の係止部６３の第２の爪部６３ｃがカートリッジ５３の底面部５３ｃと干渉することで梁部６３ａが弾性変形する。その後、カートリッジ５３の側面部５３ｂが３本中２本の第２の係止部６３の第２の延長部６３ｂに接触し、そのまま挿入方向に力を加えると、これらの第２の延長部６３ｂが挿入方向に弾性変形し、その一方で、残りの１本の第２の係止部６３の梁部６３ａに復元力が働いて、３本の第２の係止部６３の梁部６３ａがカートリッジ５３の底面部５３ｂに面接触する。そして３本中２本の第２の係止部６３の第２の延長部６３ｂに復元力が働いて、それぞれの第２の延長部６３ｂがカートリッジ５３の側面部５３ｂに面接触すると共に、第２の爪部６３ｃがカートリッジ５３の上面部５３ａの外周端に係合する。このとき、それぞれの第２の延長部６３ｂがカートリッジ５３の側面部５３ｂに接触しているため、カートリッジ５３とアタッチメント５４とは、回転軸５２と同軸に固定される。その後、前ガード２８を後ガード２７に取り付ける。
【００４９】
なお上述のアタッチメント５４の取付スピナー５１への取り付け作業、およびカートリッジ５３のアタッチメント５４への取り付け作業は、前ガード２８を後ガード２７から取り外さず、前ガード２８のカートリッジ収納部２を開状態にして行ない、取付後にカートリッジ収納部２を閉状態にしてもよい。
【００５０】
続いて、操作パネル１７の操作部やリモコン３の受光部４３への操作に伴い、制御部４４が扇風機本体１の運転を開始させると、ＤＣファンモータ２１に適切な駆動信号が供給されて回転軸５２が回転することに伴い、ファン２２に加えて、取付スピナー５１、アタッチメント５４およびカートリッジ５３が回転する。そしてカードリッジ５３の回転により、カートリッジ５３自身に遠心力が発生し、カートリッジ５３内部の薬剤を放射状に360°拡散する。このとき、例えば風量を弱に設定しており、回転軸５２の回転速度、すなわちカートリッジ５３の回転速度が遅い場合は、上述の遠心力が弱く、薬剤の拡散量は少なくなる。その一方で、例えば風量を強に設定しており、カートリッジ５３の回転速度が速い場合は、上述の遠心力が強く働き、薬剤の拡散量は多くなる。
【００５１】
放射状に360°拡散された薬剤は、ファン２２からの風と合流して、この風と共に送風部１３の前方に拡散される。そのため、薬剤がファン２２からの風の全体と合流でき、広範囲においてこの薬剤の効果を得ることができる。
【００５２】
ここで、風幅切替駆動部９３がシャッター８３を駆動させて送風部１３からの風の幅が広い場合は、カートリッジ５３からの薬剤は、先ず斜流型の羽根部７１からの風と合流してカートリッジ５３の回転軸方向斜め前方に送り出され、続いて軸流型の翼２４からの風と合流する。上述したように、羽根部７１からの風は翼２４から送り出される風とぶつかって、広がりのある風を扇風機本体１の正面に提供するため、この広がりのある風と合流した薬剤も同様に扇風機本体１の正面に拡散され、さらに広範囲において、扇風機本体１を室内で運転している場合は室内中で、この薬剤の効果を得ることができる。
【００５３】
カートリッジ５３は、所定の回転速度で回転した場合は６０日〜９０日拡散できる量の薬剤を内部に蓄積するが、これは上述したように、カートリッジ５３の回転速度、すなわち風量の強さにより薬剤の拡散量が増減する。そのため、制御部４４の計時部９９は、回転軸５２の回転数をカウントすると共に、そのときの回転速度を記憶し、例えば風量が中のときを基準として、例えば回転速度が速い場合には、例えば風量が中のときの４回転分の値にするなど１回転ごとの重みを大きくし、その一方で、例えば回転速度が遅い場合には、例えば風量が中のときの０．２５回転分の値にするなど１回転ごとの重みを小さくするなど、回転速度によってカウントする値に異なる重み付けをして記憶することにより、カートリッジ５３の交換の時期を担保している。
【００５４】
計時部９９でカウントしている値が所定の閾値を超えると、交換報知部９４が、例えばＬＥＤなどの表示や警告音などの音でユーザにカートリッジ５３の交換時期を報知する。その後、ユーザは扇風機本体１の運転を停止させ、上述の取り付け作業と逆の作業を行なってカートリッジ５３を取り外す。そして新しいカートリッジ５３で上述の取り付け作業を行ない、操作パネル１７の操作部やリモコン３の受光部４３への操作により、計時部９９でカウントしている値をリセットすることで、扇風機本体１の運転再開の準備が完了する。
【００５５】
以上のように、本実施例の扇風機としての扇風機本体１は、内部に害虫防除用の薬剤を入れて回転することにより前記薬剤を拡散させる容器としてのカートリッジ５３を設置可能であり、風を送り出すファン２２の回転の軸である回転軸５２に、カートリッジ５３を取付けるアタッチメント５４を設けて構成される。
【００５６】
このように構成することで、回転軸５２が回転することに伴い、ファン２２に加えて、アタッチメント５４およびカートリッジ５３が回転し、カードリッジ５３の回転により、カートリッジ５３自身に遠心力が発生して、カートリッジ５３内部の薬剤を放射状に360°拡散する。そして放射状に拡散された薬剤がファン２２からの風と合流して、この風と共に送風部１３の前方に拡散するため、薬剤がファン２２からの風の全体と合流でき、広範囲においてこの薬剤の効果を得ることができ、特に蚊などの害虫を効果的に防除することができる。
【００５７】
また本実施例のアタッチメント５４は、ファン２２を駆動部としてのＤＣファンモータ２１に固定する固定部としての取付スピナー５１に着脱自在に取付けられ、アタッチメント５４を取付けるだけでカートリッジ５３の設置可能な扇風機になる。そのため、既存の扇風機でも、その扇風機の取付スピナー５１の形状に対応したアタッチメント５４を取付ければ本発明の作用効果を得ることができる。
【００５８】
また本実施例のファン２２は斜流ファンとしての羽根部７１を備えて構成され、広がりのある風を扇風機本体１の正面に提供する。そのため、この広がりのある風と合流した薬剤も同様に扇風機本体１の正面に拡散され、さらに広範囲においてこの薬剤の効果を得ることができ、特に蚊などの害虫を効果的に防除することができる。
【００５９】
また本実施例では、ファン２２の回転数をカウントすると共に、そのときの回転速度を記憶するカウント手段としての計時部９９を備え、計時部９９は、例えば風量が中のときを基準として、例えば回転速度が速い場合には、例えば風量が中のときの４回転分の値にするなど１回転ごとの重みを大きくし、その一方で、例えば回転速度が遅い場合には、例えば風量が中のときの０．２５回転分の値にするなど１回転ごとの重みを小さくするなど、ファン２２の回転速度により記憶する回転数に異なる重み付けをしている。このように構成することで、カードリッジ５３の回転速度と回転数を検出でき、また異なる重み付けをすることで、回転速度や回転数により薬剤の拡散量が異なるカートリッジ５３の交換の時期をより適切に知ることができる。
【００６０】
また本実施例では、扇風機本体１の各部への給電用のバッテリを備え、コンセントの無い場所でも扇風機本体１を運転でき、屋外でも扇風機本体１を使用できる。
【実施例２】
【００６１】
図１５は、本発明の第２実施例における扇風機本体１’のベース１１の斜視図を示している。また図１６および図１７は本実施例におけるカートリッジ収納部２’の斜視図および側面図を示している。
【００６２】
これらの各図において、本実施例のカートリッジ収納部２’は、前ガード２８ではなくベース１１上面に設けられる。このカートリッジ収納部２’は、ヒンジ部６５、係脱部６６の爪部６６ａおよび支柱部６７が設けられた円板部４２と、第１実施例の環状部４１に相当する土台部１０１と、ＤＣファンモータ２１とは別に、カートリッジ５３を回転させるカートリッジ専用モータ１０２と、カートリッジ専用モータ１０２を駆動させるモータ駆動部１０３と、を主な構成要素としている。
【００６３】
円板部４２は第１実施例と同様の形態であり、ヒンジ部６５を中心にして土台部１０１に対して回動可能になるように、土台部１０１と接続される。
【００６４】
土台部１０１は、略円板状に形成される土台部本体１０１ａと、土台部本体１０１ａの中央部に配置され、内側にカートリッジ専用モータ１０２を配設するモータ収容部１０１ｂと、土台部１０１の外縁部に設けられ、円板部４２のヒンジ部６５と対応するヒンジ受け部１０１ｃと、土台部１０１の上面部外周付近に設けられ、円板部４２の爪部６６ａと対応する係脱部６６の係止部６６ｂと、土台部１０１の側面に設けられ、指を差し入れて爪部６６ａを押圧することで係脱部６６の係合を解除する取り外し部１０１ｄと、からなり、カートリッジ収納部２’は、爪部６６ａと係止部６６ｂが係合することで閉状態となる。モータ収容部１０１ｂは、その中心にカートリッジ専用モータ１０２の回転軸１０４を挿通する孔１０５が設けられる。また円板部４２および土台部１０１の各部の配置や高さは、カートリッジ収納部２’が閉状態の時、カートリッジ専用モータ１０２から見て、土台部１０１、カートリッジ５３、円板部４２の順で、各部の中心部が回転軸５２の軸上に位置するようにそれぞれ構成される。
【００６５】
本実施例のカートリッジ専用モータ１０２はＤＣモータであり、上方に突出した回転軸１０４を有している。またカートリッジ専用モータ１０２は、駆動電圧となるＤＣ３Ｖを給電すると所定の速度で回転軸１０４が回転する。この回転軸１０４をカートリッジ５３の底面中心部に設けられる図示しない取付孔に挿入することで、カートリッジ５３がカートリッジ専用モータ１０２に取付け固定される。またモータ駆動部１０３は、ベース１１内部の土台部１０１下方に配設されており、カートリッジ専用モータ１０２に駆動電圧となるＤＣ３Ｖを給断電することでカートリッジ専用モータ１０２を制御している。
【００６６】
図１８は、本実施例の扇風機の電気的構成を示したものである。同図において、制御部４４’の出力ポートにはモータ駆動部１０３が電気的に接続されており、またマイコンによるプログラム上の機能として、主にカートリッジ専用モータ１０２の動作を制御する拡散制御部１０６を備えている。また計時部９９’は、ＤＣファンモータ２１とは別に、カートリッジ専用モータ１０２の入タイマーや切タイマーなどのタイマー動作のための時間や、扇風機本体１’の運転中に回転検出部９１’からの検出信号を受信して、現在までのカートリッジ専用モータ１０２が動作した積算時間をカウントして記憶している。そして本実施例では、このカートリッジ専用モータ１０２のタイマー動作のための時間や動作した積算時間を操作パネル１７の表示部に表示させており、これらの表示は表示制御部９６により制御される。それ以外の構成や作用効果は、図１４に示す第１実施例と共通する。
【００６７】
本実施例では、操作パネル１７の操作部やリモコン３の受光部４３への操作に伴い、制御部４４がカートリッジ収納部２’の運転を開始させると、拡散制御部１０６はモータ駆動部１０３に適切な駆動電圧を供給するための制御信号を送出し、モータ駆動部１０３はカートリッジ専用モータ１０２に駆動電圧を供給する。そしてカートリッジ専用モータ１０２への電圧供給によってカートリッジ５３が所定の回転方向に回転する。また、操作パネル１７の操作部やリモコン３の受光部４３への操作に伴い、制御部４４がカートリッジ収納部２’の運転を停止させると、拡散制御部１０６はモータ駆動部１０３への制御信号の送出を停止し、モータ駆動部１０３はカートリッジ専用モータ１０２への駆動電圧の供給を停止する。そしてカートリッジ５３の回転が停止する。
【００６８】
カートリッジ収納部２’の運転中に、操作パネル１７やリモコン３に設けられた例えば蚊取り機能切タイマースイッチを押すたびに、カートリッジ収納部２’の運転を停止するまでの切タイマー時間が任意に設定され、または解除される。制御部４４’は、蚊取り機能切タイマースイッチからの操作信号を受けて切タイマー時間を設定すると、その設定された切タイマー時間を、表示制御部９６により操作パネル１７の表示部に表示させ、計時部９９’でカウントした時間が設定した切タイマー時間に達した時点で、カートリッジ専用モータ１０２の動作を終了させて、カートリッジ収納部２’の運転を自動的に停止させる。
【００６９】
一方、カートリッジ収納部２’の運転停止中や切タイマー時間を設定した後に、操作パネル１７に設けられた例えば蚊取り機能入タイマースイッチを押すたびに、カートリッジ収納部２’の運転を開始するまでの入タイマー時間が任意に設定変更され、または解除される。制御部４４は、蚊取り機能入タイマースイッチからの操作信号を受けて入タイマー時間を設定すると、その設定された入タイマー時間を、表示制御部９６により操作パネル１７の表示部に表示させ、計時部９９’でカウントした時間が設定した入タイマー時間に達した時点で、カートリッジ収納部２’の運転を自動的に開始させる。
【００７０】
計時部９９’は上述の他にも、カートリッジ収納部２’の運転中に回転検出部９１’からの検出信号を受信して、現在までのカートリッジ専用モータ１０２が動作した積算時間をカウントして記憶する。ここで、このカウントした値が所定の閾値を超えると、制御部４４’は表示制御部９６に制御信号を送出し、表示制御部９６は交換報知部９４に適切な駆動信号を供給して、交換報知部９４が、例えばＬＥＤなどの表示や警告音などの音でユーザにカートリッジ５３の交換時期を報知する。
【００７１】
本実施例では、カートリッジ専用モータ１０２の回転速度はユーザによらず所定の速度であり、薬剤の拡散量が略一定であるので、時間管理をすることでカートリッジ５３の交換の時期が担保できる。そのため、計時部９９は、現在までのカートリッジ専用モータ１０２が動作した積算時間をカウントする時間管理をしており、カートリッジ５３の交換の時期の管理を簡素化している。
【００７２】
次に本実施例の扇風機本体１’の、特に薬剤の拡散方法について具体的に説明する。先ず、土台部１０１の取り外し部１０１ｄで爪部６６ａを押圧して係脱部６６の係合を解除し、カートリッジ収納部２’でヒンジ部６５を中心にして土台部１０１に対して円板部４２を上方に回動させた開状態にする。続いて、カードリッジ５３の取付孔にカートリッジ専用モータ１０２の回転軸１０４を挿入し、カートリッジ専用モータ１０２にカードリッジ５３を取付け固定する。その後、ヒンジ部６５を中心にして土台部１０１に対して円板部４２を下方に回動させて爪部６６ａと係止部６６ｂを係合させ、カートリッジ収納部２’を閉状態にする。
【００７３】
続いて、操作パネル１７の操作部やリモコン３の受光部４３への操作に伴い、制御部４４は拡散制御部１０６に制御信号を送出し、拡散制御部１０６はモータ駆動部１０３に適切な駆動信号を供給して、モータ駆動部１０３がカートリッジ専用モータ１０２に駆動電圧を給電してカートリッジ５３を回転させる。カードリッジ５３が回転することにより、カートリッジ５３自身に遠心力が発生し、薬剤を放射状に360°拡散させる。なお本実施例ではカートリッジ５３上面の形状により、カードリッジ５３が回転することでカートリッジ５３上面側に攪拌気流が発生し、薬剤がさらに効率よく拡散されている。
【００７４】
本実施例では、送風部１３や首振り装置１４とは別に、カートリッジ専用モータ１０２を独立して動作させることができ、扇風機本体１’の送風機１３の風量に影響されずカートリッジ収納部２’の、すなわち扇風機本体１’の一定の蚊取り性能を発揮させることができる。また扇風機本体１’に蚊取り機能のみの動作を行なわせることができる。
【００７５】
なお送風部１３や首振り装置１４とリンクしてカートリッジ収納部２’を動作させるように、制御部４４を構成してもよい。薬剤は揮発性であるので、拡散後は次第に上昇していく。このとき、操作パネル１７の操作部やリモコン３の受光部４３への操作に伴い、制御部４４が扇風機本体１の運転を開始させると、ファン２２からの風が、拡散されて送風部１３の前方に上昇してきた薬剤と合流して、送風部１３の前方に拡散される。そのため、やはり広範囲においてこの薬剤の効果を得ることができる。
【００７６】
計時部９９’は、カートリッジ専用モータ１０２が動作した積算時間をカウントしており、この積算時間の値が所定の閾値を超えると、交換報知部９４が、例えばＬＥＤなどの表示や警告音などの音でユーザにカートリッジ５３の交換時期を報知する。その後、ユーザはカートリッジ収納部２’の動作を停止させ、上述の取り付け作業と逆の作業を行なってカートリッジ５３を取り外す。そして新しいカートリッジ５３で上述の取り付け作業を行ない、操作パネル１７の操作部やリモコン３の受光部４３への操作により、計時部９９’でカウントしている値をリセットすることで、カートリッジ収納部２’の運転再開の準備が完了する。
【００７７】
以上のように、本実施例の扇風機としての扇風機本体１’は、内部に害虫防除用の薬剤を入れて回転することにより前記薬剤を拡散させる容器としてのカートリッジ５３を設置可能であり、床面や机上に載置されるベース１１に、カートリッジ５３を取付けて回転させるモータとしてのカートリッジ専用モータ１０２を設けて構成される。
【００７８】
このように構成することでも、カードリッジ５３の回転により、カートリッジ５３自身に遠心力が発生して、カートリッジ５３内部の薬剤を放射状に360°拡散する。また送風部１３や首振り装置１４とは別に、カートリッジ専用モータ１０２を独立して動作させることができ、扇風機本体１’の送風機１３の風量に影響されず扇風機本体１’の一定の蚊取り性能を発揮させることができる。
【００７９】
また本実施例では、カートリッジ専用モータ１０２の動作時間をカウントして記憶する計時部９９’を備えて構成される。カートリッジ専用モータ１０２の回転速度はユーザによらず所定の速度であり、薬剤の拡散量が略一定であるので、このように構成することでカートリッジ５３の交換の時期を適切に知ることができる。
【００８０】
なお、本発明は上記実施例に限定されるものではなく、本発明の趣旨を逸脱しない範囲で種々の変更可能である。例えば第２実施例では、カートリッジ５３を所定の速度で回転させるカートリッジ専用モータ１０２を採用しているが、ＤＣファンモータ２１のように回転数を任意に可変することができるモータを採用してもよい。この場合の計時部９９’は、第１実施例と同様に、カートリッジ専用モータ１０２の回転軸１０４の回転速度と回転数も検出するように構成される。また、第１実施例や第２実施例の各部の構成や形状は、図示したものに限定されず、適宜変更が可能である。
【符号の説明】
【００８１】
１  扇風機本体（扇風機）
１’  扇風機本体（扇風機）
１１  ベース
２１  ＤＣファンモータ（駆動部）
２２  ファン
５１  取付スピナー（固定部）
５２  回転軸
５３  カートリッジ（容器）
５４  アタッチメント
７１  羽根部（斜流ファン）
９９  計時部（カウント手段）
９９’  計時部（カウント手段）
１０２  カートリッジ専用モータ（モータ）
【図１】
2019143610.tif 000003
【図２】
2019143610.tif 000004
【図３】
2019143610.tif 000005
【図４】
2019143610.tif 000006
【図５】
2019143610.tif 000007
【図６】
2019143610.tif 000008
【図７】
2019143610.tif 000009
【図８】
2019143610.tif 000010
【図９】
2019143610.tif 000011
【図１０】
2019143610.tif 000012
【図１１】
2019143610.tif 000013
【図１２】
2019143610.tif 000014
【図１３】
2019143610.tif 000015
【図１４】
2019143610.tif 000016
【図１５】
2019143610.tif 000017
【図１６】
2019143610.tif 000018
【図１７】
2019143610.tif 000019
【図１８】
2019143610.tif 000020